(57)【要約】      （修正有）【課題】コンパクトで、体幹に効率的に振動を伝達することのできる運動器具を提供する。【解決手段】運動器具は、天板４Ｔの上面が凹形に湾曲している筐体２と、筐体２の内部に設けられ、天板４Ｔを振動させる振動機構と、を備える。筐体２は、底板を備える下部筐体と、天板４Ｔを備え、下部筐体と結合されていない上部筐体４と、を含み、振動機構は、上部筐体を振動させる。【選択図】図２Ａ
0003230103.tif 000002
【実用新案登録請求の範囲】
【請求項１】
天板の上面が凹形に湾曲している筐体と、
前記筐体の内部に設けられ、前記天板を振動させる振動機構と、を備えることを特徴とする運動器具。
【請求項２】
前記天板は、長辺と短辺を有する長方形であり、
前記長辺に交差する方向から見た前記天板の断面の上縁が凹形に湾曲していることを特徴とする請求項１に記載の運動器具。
【請求項３】
前記筐体は、
底板を備える下部筐体と、
前記天板を備え、前記下部筐体と結合されていない上部筐体と、を含み、
前記振動機構は、前記上部筐体を振動させることを特徴とする請求項２に記載の運動器具。
【請求項４】
前記振動機構は、
前記下部筐体に固定された下部フレームと、
前記長辺の中央に対応する位置に設けられた前記短辺と平行な第１揺動軸により揺動可能に前記下部フレームに結合され、且つ、前記上部筐体に固定された上部フレームと、
前記下部フレームに支持される前記短辺と平行な駆動軸と、
外輪と内輪を備え、前記外輪が、前記短辺と平行な第２揺動軸により揺動可能に前記上部フレームに結合され、前記内輪が前記駆動軸に対して偏心している揺動軸受と、
前記駆動軸を駆動するモーターと、を備えることを特徴とする請求項３に記載の運動器具。
【考案の詳細な説明】
【技術分野】
【０００１】
本考案は、身体に振動を与える運動器具に関する。
【背景技術】
【０００２】
身体に振動を与えることで健康の増進を図る技術が知られている。例えば、特許文献１では、マット支持面に透孔を設け、この透孔の下方に動力により上下作動される振動体を具備した振動付与装置を設け、振動体が透孔を通じてマット支持面上のマットの一部を押圧して上下振動させるマット振動型ベッドが提案されている。
【先行技術文献】
【特許文献】
【０００３】
【特許文献１】実用新案登録第３０４８２９３号公報
【考案の概要】
【考案が解決しようとする課題】
【０００４】
しかし、特許文献１で提案されたマット振動型ベッドは、ベッドが置ける空間を必要とし、片付けも容易ではない。また、マットに寝た姿勢での使用を前提としているため、運動をしながらの使用には適しておらず、体幹に効率的に振動を与えることができない。
【０００５】
本考案は、上記事情を考慮し、コンパクトで、体幹に効率的に振動を伝達することのできる運動器具を提供することを目的とする。
【課題を解決するための手段】
【０００６】
上記課題を解決するため、本考案に係る運動器具は、天板の上面が凹形に湾曲している筐体と、前記筐体の内部に設けられ、前記天板を振動させる振動機構と、を備えることを特徴とする。
【０００７】
本考案に係る電気刺激用装着具において、前記天板は、長辺と短辺を有する長方形であり、前記長辺に交差する方向から見た前記天板の断面の上縁が凹形に湾曲していてもよい。
【０００８】
本考案に係る電気刺激用装着具において、前記筐体は、底板を備える下部筐体と、前記天板を備え、前記下部筐体と結合されていない上部筐体と、を含み、前記振動機構は、前記上部筐体を振動させるように構成されていてもよい。
【０００９】
本考案に係る電気刺激用装着具において、前記振動機構は、前記下部筐体に固定された下部フレームと、前記長辺の中央に対応する位置に設けられた前記短辺と平行な第１揺動軸により揺動可能に前記下部フレームに結合され、且つ、前記上部筐体に固定された上部フレームと、前記下部フレームに支持される前記短辺と平行な駆動軸と、外輪と内輪を備え、前記外輪が、前記短辺と平行な第２揺動軸により揺動可能に前記上部フレームに結合され、前記内輪が前記駆動軸に対して偏心している揺動軸受と、前記駆動軸を駆動するモーターと、を備えていてもよい。
【考案の効果】
【００１０】
本考案によれば、コンパクトで、体幹に効率的に振動を伝達することのできる運動器具を提供することができる。
【図面の簡単な説明】
【００１１】
【図１】本考案の一実施形態に係る運動器具の斜視図である。
【図２Ａ】本考案の一実施形態に係る上部筐体の斜視図である。
【図２Ｂ】本考案の一実施形態に係る下部筐体の斜視図である。
【図３Ａ】本考案の一実施形態に係る上部筐体の底面図である。
【図３Ｂ】本考案の一実施形態に係る上部筐体の断面図である。
【図３Ｃ】本考案の一実施形態に係る上部筐体の断面図である。
【図４Ａ】本考案の一実施形態に係る上部フレーム斜視図である。
【図４Ｂ】本考案の一実施形態に係る下部フレームの斜視図である。
【図５】本考案の一実施形態に係る揺動軸受の斜視図である。
【図６Ａ】本考案の一実施形態に係る運動器具の動作を模式的に示す図である。
【図６Ｂ】本考案の一実施形態に係る運動器具の動作を模式的に示す図である。
【図６Ｃ】本考案の一実施形態に係る運動器具の動作を模式的に示す図である。
【図６Ｄ】本考案の一実施形態に係る運動器具の動作を模式的に示す図である。
【考案を実施するための形態】
【００１２】
以下、図面を参照しつつ本考案の一実施形態に係る運動器具１について説明する。図１は、運動器具１の斜視図である。図２Ａは、上部筐体４の斜視図である。図２Ｂは、下部筐体３の斜視図である。図３Ａは、上部筐体４の底面図である。図３Ｂ、３Ｃは、上部筐体４の断面図である。以下、各図において、Ｕ、Ｌｏ、Ｌ、Ｒ、Ｆｒ、Ｒｒは、それぞれ上、下、左、右、前、後を示す。
【００１３】
運動器具１は、天板４Ｔの上面が凹形に湾曲している筐体２と、筐体２の内部に設けられ、天板４Ｔを振動させる振動機構５と、を備える。具体的には、以下のとおりである。
【００１４】
［筐体］
筐体２は、底板３Ｂを備える下部筐体３と、天板４Ｔを備え、下部筐体３と結合されていない上部筐体４と、を含み、振動機構５は、上部筐体４を振動させる。
【００１５】
［下部筐体］
下部筐体３（図２Ｂ参照）の形状は概ね直方体であり、上部が開口している。底板３Ｂの形状は、四隅が丸められた長方形であり、長辺３Ｌと短辺３Ｓを有する。底板３Ｂの縁から上方に側板３Ｗが設けられている。下部筐体３の前側の側板３Ｗには、主電源ボタン１１と、電源コードが差し込まれる差込口１２が設けられている。底板３Ｂの下面の四隅には、下部筐体３を支持する脚部１３が設けられている。
【００１６】
［上部筐体］
上部筐体４（図２Ａ参照）の形状は概ね直方体であり、下部が開口している。天板４Ｔの形状は、四隅が丸められた長方形であり、長辺４Ｌと短辺４Ｓを有する。天板４Ｔの縁から下方に側板４Ｗが設けられている。天板４Ｔの長辺４Ｌは、底板３Ｂの長辺３Ｌと平行であり、天板４Ｔの短辺４Ｓは、底板３Ｂの短辺３Ｓと平行である。また、天板４Ｔの長辺４Ｌは、底板３Ｂの長辺３Ｌよりも短く、天板４Ｔの短辺４Ｓは、底板３Ｂの短辺３Ｓよりも短い。組み立て後の状態では（図１参照）、上部筐体４が下部筐体３を包囲し、側板４Ｗの下端部は、運動器具１が設置される床面に接しない。
【００１７】
長辺４Ｌに交差する方向から見た天板４Ｔの断面の上縁は、凹形に湾曲している（図３Ｂ参照）。短辺４Ｓに直角な方向から見た天板４Ｔの断面の上縁は、概ね直線である（図３Ｃ参照）。天板４Ｔと側板４Ｗとの境界部には、斜面４Ａが設けられている。上部筐体４の内部には、天板４Ｔの短辺４Ｓ側の部分を補強するリブ４Ｒが設けられている（図３Ａ乃至３Ｃ参照）。
【００１８】
天板４Ｔの前側には、操作パネル１４が設けられている（図２Ａ参照）。操作パネル１４には、電源ボタン１４１、自動モード選択ボタン１４２、開始／停止ボタン１４３、時間／振動強さボタン１４４、液晶表示部１４５等が設けられている（図示省略）。主電源ボタン１１をオン状態にした上で電源ボタン１４１をオン状態にすることで、運動器具１の操作が可能となる。自動モード選択ボタン１４２は、中程度の負荷を長時間かける脂肪燃焼モード、時間の経過とともに負荷を増減する筋力アップモード、断続的に強い負荷をかけるインターバルモード、時間と振動強さを手動で設定する手動モードのいずれかを選択するためのボタンである。
【００１９】
開始／停止ボタン１４３は、振動を開始／停止するためのボタンである。時間／振動強さボタン１４４は、振動の継続時間と、信号の強さを調節するためのボタンである。振動の開始前に時間／振動強さボタン１４４を操作することで、継続時間を増減することができる。振動の停止後に時間／振動強さボタン１４４を操作することで、振動の強さを増減することができる。液晶表示部１４５には、設定された時間又は運動の強さが表示される。運動器具１には、操作パネル１４と同等の機能を備えるリモートコントローラーが付属している（図示省略）。
【００２０】
下部筐体３及び上部筐体４は、ＡＢＳ（Acrylonitrile  Butadiene  Styrene）等の樹脂で形成されている。上部筐体４の天板４Ｔの上面には、ＴＰＥ（Thermoplastic  Elastomer）等の樹脂で形成されたマット１５が設けられている。
【００２１】
次に、振動機構５の構成について説明する。図４Ａは、上部フレーム４０斜視図である。図４Ｂは、下部フレーム３０の斜視図である。図５は、揺動軸受５０の斜視図である。
【００２２】
［振動機構］
振動機構５（図４Ａ、４Ｂ参照）は、下部筐体３に固定された下部フレーム３０と、天板４Ｔの長辺４Ｌの中央に対応する位置に設けられた天板４Ｔの短辺４Ｓと平行な第１揺動軸３１により揺動可能に下部フレーム３０に結合され、且つ、上部筐体４に固定された上部フレーム４０と、下部フレーム３０に支持される短辺４Ｓと平行な駆動軸３２と、外輪５１と内輪５２を備え、外輪５１が、短辺４Ｓと平行な第２揺動軸４３により揺動可能に上部フレーム４０に結合され、内輪５２が駆動軸３２に対して偏心している揺動軸受５０と、駆動軸３２を駆動するモーター３４と、を備える。具体的には、以下のとおりである。なお、天板４Ｔの長辺４Ｌに平行な方向、短辺４Ｓに平行な方向をそれぞれ、長辺方向、短辺方向という。
【００２３】
［下部フレーム］
下部フレーム３０（図４Ｂ参照）は、下部筐体３に収容され、底板３Ｂに固定されている。下部フレーム３０は、鋼材等で形成されている。下部フレーム３０は、長辺方向を長手方向として前後に対向する１対の下部長辺部材３０Ｌと、短辺方向を長手方向として左右に対向する１対の下部短辺部材３０Ｓと、を結合することで形成されている。前後の下部長辺部材３０Ｌの長手方向の中央には、短辺方向を軸方向とする第１揺動軸３１が設けられている。
【００２４】
下部フレーム３０は、軸受３３と、モーター支持部材３０Ｍと、を備えている。軸受３３は、前後の下部長辺部材３０Ｌの右端部付近に設けられ、短辺方向を軸方向とする駆動軸３２を支持する。モーター支持部材３０Ｍは、下部長辺部材３０Ｌの長手方向の中央よりもやや左寄りの位置において、前後の下部長辺部材３０Ｌに架け渡され、短辺方向を軸方向とするモーター３４が固定されている。モーター３４の軸には、駆動プーリー３５が設けられている。駆動軸３２には、駆動プーリー３５よりも径の大きい従動プーリー３６が設けられている。駆動プーリー３５と従動プーリー３６には、無端ベルト３７が巻き掛けられている。
【００２５】
［上部フレーム］
上部フレーム４０（図４Ａ参照）は、上部筐体４に収容され、天板４Ｔに固定されている。上部フレーム４０は、鋼材等で形成されている。上部フレーム４０は、長辺方向を長手方向として前後に対向する１対の上部長辺部材４０Ｌと、短辺方向を長手方向として左右に対向する１対の上部短辺部材４０Ｓと、を結合することで形成されている。上部長辺部材４０Ｌ、上部短辺部材４０Ｓの長さは、それぞれ、下部長辺部材３０Ｌ、下部短辺部材３０Ｓの長さと同等である。
【００２６】
上部フレーム４０は、前後の上部長辺部材４０Ｌの長手方向の中央に、下方に突出した板状の結合部材４１を備えている。結合部材４１には、第１揺動軸３１が挿入される穴４１Ｈが設けられている。上部フレーム４０は、第１揺動軸３１を介して下部フレーム３０に結合され、下部フレーム３０に対して第１揺動軸３１を中心として揺動可能である。
【００２７】
上部フレーム４０は、補強部材４０Ｒと、第２揺動軸支持部材４２と、を備えている。補強部材４０Ｒは、上部長辺部材４０Ｌの長手方向の複数箇所（この例では、２箇所）において、前後の上部長辺部材４０Ｌに架け渡されている。第２揺動軸支持部材４２は、右側の補強部材４０Ｒと右側の上部短辺部材４０Ｓに架け渡されている。第２揺動軸支持部材４２には、短辺方向を軸方向とする第２揺動軸４３が設けられている。
【００２８】
［揺動軸受］
揺動軸受５０（図５参照）は、例えば、ボールベアリングであり、外輪５１と内輪５２を備える。ケーシング５３は、外輪５１の外周面を覆うケーシング本体部５３Ｂと、ケーシング本体部５３Ｂから径方向に突出したケーシング突出部５３Ｐと、を備える。外輪５１は、ケーシング本体部５３Ｂに対して回転不能である。ケーシング突出部５３Ｐには、第２揺動軸４３が挿入される穴５３Ｈが設けられている。ケーシング５３は、第２揺動軸４３を介して上部フレーム４０に結合され、上部フレーム４０に対して第２揺動軸４３を中心として揺動可能である。
【００２９】
駆動軸固定部材５４は、内輪５２の内側に設けられ、内輪５２に対して回転不能である。駆動軸固定部材５４には、駆動軸３２が固定される穴５４Ｈが設けられている。穴５４Ｈの中心は、内輪５２の中心からずれた位置にある。つまり、内輪５２は、駆動軸３２に対して偏心している。
【００３０】
次に、運動器具１の動作について説明する。図６Ａ乃至６Ｄは、運動器具１の動作を模式的に示す図である。モーター３４が回転すると、駆動プーリー３５、無端ベルト３７、従動プーリー３６を介して、駆動軸３２が回転し、駆動軸３２に固定された内輪５２も回転する。ここで、図６Ａは、内輪５２の中心が駆動軸３２の中心の左方に位置する様子を示している。図６Ｂは、図６Ａの状態に対して駆動軸３２が時計回り方向に約９０°回転した状態を示し、内輪５２の中心が駆動軸３２の中心の上方に位置している。図６Ｃは、図６Ｂの状態に対して駆動軸３２が時計回り方向にさらに約９０°回転した状態を示し、内輪５２の中心が駆動軸３２の中心の右方に位置している。図６Ｄは、図６Ｃの状態に対して駆動軸３２が時計回り方向にさらに約９０°回転した状態を示し、内輪５２の中心が駆動軸３２の中心の下方に位置している。
【００３１】
このように、内輪５２が駆動軸３２に対して偏心しているため、駆動軸３２が回転するにつれて、内輪５２の中心が駆動軸３２を中心として円運動する。ここで、前述のとおり、内輪５２は外輪５１に対して自在に回転可能であり、外輪５１は第２揺動軸４３により揺動可能に上部フレーム４０に結合され、上部フレーム４０は第１揺動軸３１により揺動可能に下部フレーム３０に結合され、且つ、上部筐体４に固定されている。従って、内輪５２の回転に伴って、外輪５１が揺動するとともに上下方向に往復運動し、上部フレーム４０が第１揺動軸３１を中心として揺動する。その結果、上部筐体４の左側の部分と右側の部分とが互いに逆方向に上下に振動する。
【００３２】
以上説明した本実施形態に係る運動器具１によれば、天板４Ｔの上面が凹形に湾曲している筐体２と、筐体２の内部に設けられ、天板４Ｔを振動させる振動機構５と、を備えている。運動器具１の効果的な使用法として、例えば、上肢又は下肢を天板４Ｔに載せて天板４Ｔを振動させることが想定される。具体的には、片足を天板４Ｔに載せて腰を落とす、両手を天板４Ｔに載せて腕立て伏せの姿勢をとる、仰向けの姿勢で両足の足裏を天板４Ｔに載せて腰を浮かせる、両脚で天板４Ｔに乗って腰を落とす、などの姿勢が想定される。
【００３３】
このような姿勢で天板４Ｔを振動させると、天板４Ｔの上面が凹形に湾曲しているため、振動が体幹の中心に集められ、身体の深部へ振動が伝達される。また、天板４Ｔは、身体の一部を載せられるだけのサイズを有するから、運動器具１はコンパクトである。また、天板４Ｔの上面が凹形に湾曲しているため、身体が天板４Ｔからずれにくく、安定した姿勢で運動することができる。よって、本実施形態によれば、コンパクトで、体幹に効率的に振動を伝達することのできる運動器具１を提供することができる。
【００３４】
また、本実施形態に係る運動器具１によれば、天板４Ｔは、長辺４Ｌと短辺４Ｓを有する長方形であり、長辺４Ｌに交差する方向から見た天板４Ｔの断面の上縁が凹形に湾曲している。この構成によれば、長辺４Ｌに直角な方向に身体を向けて両上肢又は両下肢を天板に載せることで、安定した姿勢で身体の左右に均等に振動を与えることができる。また、天板４Ｔの長辺方向の幅は、成人の肩幅よりも若干広い程度であればよく、天板４Ｔの短辺方向の幅は長辺方向よりも短くてよいから、運動器具１をコンパクトに構成することができる。
【００３５】
また、本実施形態に係る運動器具１によれば、筐体２は、底板３Ｂを有する下部筐体３と、天板４Ｔを有し、下部筐体３と結合されていない上部筐体４と、を含み、振動機構５は、上部筐体４を振動させるから、天板４Ｔを効率よく振動させることができる。
【００３６】
また、本実施形態に係る運動器具１によれば、振動機構５は、下部筐体３に固定された下部フレーム３０と、長辺４Ｌの中央に対応する位置に設けられた短辺４Ｓと平行な第１揺動軸３１により揺動可能に下部フレーム３０に結合され、且つ、上部筐体４に固定された上部フレーム４０と、下部フレーム３０に支持される短辺４Ｓと平行な駆動軸３２と、外輪５１と内輪５２を備え、外輪５１が、短辺４Ｓと平行な第２揺動軸４３により揺動可能に上部フレーム４０に結合され、内輪５２が駆動軸３２に対して偏心している揺動軸受５０と、駆動軸３２を駆動するモーター３４と、を備える。この構成によれば、例えば、長辺４Ｌに直角な方向に身体を向けて両上肢又は両下肢を天板４Ｔに載せた場合、左右の上肢又は下肢が互いに逆方向に上下に振動するから、効率よく体幹を強化することができる。
【００３７】
上記実施形態は、以下のように変形されてもよい。
【００３８】
上記実施形態では、揺動軸受５０を用いて天板４Ｔを振動させるように運動器具１が構成された例が示されたが、天板４Ｔの下面に対して摺動する偏心カム等の機構を用いて天板４Ｔを振動させるように運動器具１が構成されていてもよい。
【００３９】
上記実施形態では、筐体２が下部筐体３と上部筐体４を含み、下部筐体３と上部筐体４が結合されていない例が示されたが、上部フレーム４０の振動に追従して天板４Ｔが振動する柔軟な構造であれば、筐体２の全体が一体であってもよい。
【００４０】
上記実施形態では、長辺４Ｌに交差する方向から見た天板４Ｔの断面の上縁が凹形に湾曲している例が示されたが、この構成に加えて、短辺４Ｓに交差する方向から見た天板４Ｔの断面の上縁が凹形に湾曲していてもよい。すなわち、天板４Ｔの中心に近づくにつれて低くなるように、天板４Ｔが形成されていてもよい。
【００４１】
上記実施形態では、天板４Ｔが長辺４Ｌと短辺４Ｓを有する長方形である例が示されたが、天板４Ｔは正方形であってもよい。
【符号の説明】
【００４２】
１  運動器具
２  筐体
３  下部筐体
３Ｂ  底板
４  上部筐体
４Ｔ  天板
４Ｌ  長辺
４Ｓ  短辺
５  振動機構
３０  下部フレーム
３１  第１揺動軸
３２  駆動軸
３４  モーター
４０  上部フレーム
４３  第２揺動軸
５０  揺動軸受
５１  外輪
５２  内輪
【図１】
0003230103.tif 000003
【図２Ａ】
0003230103.tif 000004
【図２Ｂ】
0003230103.tif 000005
【図３Ａ】
0003230103.tif 000006
【図３Ｂ】
0003230103.tif 000007
【図３Ｃ】
0003230103.tif 000008
【図４Ａ】
0003230103.tif 000009
【図４Ｂ】
0003230103.tif 000010
【図５】
0003230103.tif 000011
【図６Ａ】
0003230103.tif 000012
【図６Ｂ】
0003230103.tif 000013
【図６Ｃ】
0003230103.tif 000014
【図６Ｄ】
0003230103.tif 000015